(57)【要約】【課題】骨盤廻りの筋肉に働きかけて姿勢を良くすることができ、しかも取扱が簡便で違和感なく着用することができるガードルを提供する。【解決手段】緊締力の大きさが部位により異なる緊締部を、着用者の人体にフィットする部位に含んで構成されるガードル（ショート、ロング）類である。緊締布部２１は着用状態で臀裂の上部近傍から左右の臀部上部近傍を通って左右の大転子近傍に延び、更に、緊締力を有する素材で構成されている。また、前側には体前面緊締布部２４が設けられている。【選択図】　図３
2004107844.tif 000002
【特許請求の範囲】
【請求項１】
緊締部を着用者の人体にフィットする部位に含んで構成され、
前記緊締部は着用状態で臀裂の上部近傍から左右の臀部上部近傍を通って左右の大転子近傍に延び、
更に、緊締力を有する素材で構成され、着用状態で前中心のクロッチ上方から左右の上方に向って延びる体前面緊締部を有する
ことを特徴とする股付き矯正衣類。
【請求項２】
緊締力の大きさが部位により異なる緊締部を、着用者の人体にフィットする部位に含んで構成され、
前記緊締部は着用状態で臀裂の上部近傍から左右の臀部上部近傍を通って左右の大転子近傍に延び、
更に、緊締力を有する素材で構成され、着用状態で前中心のクロッチ上方から左右の上方に向って延びる体前面緊締部を有する
ことを特徴とする股付き矯正衣類。
【請求項３】
緊締力の大きさが部位により異なる左右一対の緊締部を、着用者の人体にフィットする部位に含んで構成され、
前記左右一対の緊締部は着用状態でそれぞれ左右の大転子近傍から臀裂の上部近傍に向かうように左右の臀部上部近傍に延び、
更に、緊締力を有する素材で構成され、着用状態で前中心のクロッチ上方から左右の上方に向って延びる体前面緊締部を有する
ことを特徴とする股付き矯正衣類。
【請求項４】
前記着用状態で臀裂の上部近傍から左右の臀部上部近傍を通って左右の大転子近傍に延びる緊締部は、臀裂上部近傍の緊締力が最も強い
ことを特徴とする請求項１〜３のいずれか記載の股付き矯正衣類。
【請求項５】
前記着用状態で臀裂の上部近傍から左右の臀部上部近傍を通って左右の大転子近傍に延びる緊締部は、臀裂上部近傍の緊締力が最も強く、左右の臀部上部近傍を通って左右の大転子近傍に至る方向に、徐々に弱くなっていく
ことを特徴とする請求項１〜４のいずれか記載の股付き矯正衣類。
【請求項６】
着用者の太腿にフィットする太腿部を更に有し、
前記緊締部は大転子近傍から更に前記太腿部の外側に沿って延びている
ことを特徴とする請求項１〜５のいずれか記載の股付き矯正衣類。
【請求項７】
前記緊締部は、更に足首に至っていること
ことを特徴とする請求項６記載の股付き矯正衣類。
【請求項８】
前記緊締部は着用状態で臀部上部近傍において上部に向かって凸型に湾曲する形状をなしている
ことを特徴とする請求項１〜７のいずれか記載の股付き矯正衣類。
【請求項９】
前記緊締部は、着用状態で上側に位置する上側緊締部と下側に位置する強い緊締力の下側緊締部を含んでいる
ことを特徴とする請求項１〜８のいずれか記載の股付き矯正衣類。
【請求項１０】
前記緊締部は帯形状に構成されている
ことを特徴とする請求項１〜９のいずれか記載の股付き矯正衣類。
【請求項１１】
前記緊締部は編み立て一枚布のパワー切り替えにより形成されている
ことを特徴とする請求項１〜１０のいずれか記載の股付き矯正衣類。
【請求項１２】
ガードル、スパッツ、水着、タイツ、パンティストッキング、スポーツ用タイツ、レオタード、ボディスーツ、男性用のパンツ、ガードル、スパッツ、水着、スポーツ用タイツのいずれかである
ことを特徴とする請求項１〜１１のいずれか記載の股付き矯正衣類。
【発明の詳細な説明】
【０００１】
【発明の属する技術分野】
本発明は、姿勢矯正用のガードルのような股付き矯正衣類に関する。
【０００２】
【従来の技術】
このような股付き矯正衣類としては、例えば特開２００１−１９２９０３号のガードルが知られている。ここでは、仙骨から大臀筋の筋繊維方向に沿って、強い緊締力を生じさせる帯形状の強緊締力部が設けられ、股関節を安定させることを主目的として、腰椎前湾を弱める機能を果たしている。また、腰痛対策や整体等の目的で用いられるガードルとしては、例えば特開平６−１７３１０１号、特開平１０−８３０３号、特開２００１−１０４３６９号、特開２００１−１９２９０３号に示されるものが知られている。
【０００３】
特開平６−１７３１０１号のガードルでは、腰部を水平方向に締め上げる帯状の骨盤矯正片が取り付られており、特開平１０−８３０３号では帯状の固定具を取り付けたガードルが開示されている。また、特開２００１−１０４３６９号では伸縮性の素材からなるバンドを腰部に巻き付けるようにしたガードルが開示されている。すなわち、右大腿部から左腰部、左大腿部から右腰部にかけて、人体の背面で交差する左右バンドを備えた腰痛治療用ガードルが開示され、伸縮性のバンドで骨盤全体を包み込むようになっている。
【０００４】
【特許文献１】
特開平６−１７３１０１号公報
【０００５】
【特許文献２】
特開平１０−８３０３号公報
【０００６】
【特許文献３】
特開２００１−１０４３６９号公報
【０００７】
【特許文献４】
特開２００１−１９２９０３号公報
【０００８】
【発明が解決しようとする課題】
しかし、従来のガードルでは姿勢矯正の効果が低く、取扱も困難であった。例えば特開平６−１７３１０１号や特開平１０−８３０３号に示されるガードルでは、衣類の本体とは別体（又は一端が本体に縫着）のベルト状矯正片や固定具を用いており、取扱が困難である。特開２００１−１０４３６９号のガードルについても、衣類の本体とは別体の伸縮性バンドを用いているので、着用時に違和感があって取扱も容易でない。そして、これらのガードルは腰痛対策を主眼としており、姿勢のバランスを改善する効果は低い。
【０００９】
このように、従来の姿勢矯正タイプの衣料は、上半身用の猫背矯正衣料や下半身用の腰痛予防衣料が中心で、骨盤廻りの筋肉に働きかけて全身の姿勢を良くしようとする試みはなされていない。
【００１０】
本発明は、緊締力により、骨盤廻りの筋肉が骨盤に作用させる力と同様の力を骨盤に働きかけることで姿勢を良くすることができ、しかも取扱が簡便で違和感なく着用できる股付き矯正衣類を提供することを目的とする。
【００１１】
【課題を解決するための手段】
本発明者のリサーチによると、骨盤が前傾していることで姿勢のバランスが悪くなっている人が少なくない。そこで、姿勢のバランスに各種各様の問題がある人をモニターとして、骨盤廻りの筋肉（梨状筋、腸腰筋、仙棘筋、外腹斜筋など）に沿ってテーピングを施し、姿勢変化や主観（着用感）を調べた。
【００１２】
その結果、特に骨盤が前傾気味の人については、梨状筋のサポートを施すことが姿勢矯正の効果が高く、外腹斜筋のサポートを併用すると、より一層の効果が見込めることが判明した。一方、仙棘筋については充分な姿勢矯正効果は認められなかった。
【００１３】
なお、骨盤廻りの筋肉のうち梨状筋および外腹斜筋の位置を図示すると、図１にハッチングで描く通りである。梨状筋は、骨盤を背面から見た図１（ａ）に示す通り、股関節に位置し、股関節を外旋させるための筋肉である。外腹斜筋は、人体を前面から見た図１（ｂ）に示す通り、腰部から腹部を通って胸部にかけて広く位置している。
【００１４】
また、人体の大転子、腸棘および仙骨の位置を図示すると、図２の通りである。なお、図２（ａ）は人体を前面から見た骨格、同図（ｂ）はその外形状、同図（ｃ）は人体を背面から見た骨格、同図（ｄ）はその外形状を示す。腸棘は同図（ａ）および（ｂ）に示す通り、骨盤の外側頂部に位置し、大転子は図２（ｃ）および（ｄ）に示す通り、大腿骨の頂部に位置する。また、仙骨は同図（ｃ）および（ｄ）にハッチングで示す通り、骨盤中央の腰椎下部に位置している。
【００１５】
本発明に係る股付き矯正衣類は、緊締部を着用者の人体にフィットする部位に含んで構成され、緊締部は着用状態で臀裂の上部近傍から左右の臀部上部近傍を通って左右の大転子近傍に延び、更に、緊締力を有する素材で構成され、着用状態で前中心のクロッチ上方から左右の上方に向って延びる体前面緊締部を有することを特徴とする。
【００１６】
また、本発明に係る股付き矯正衣類は、緊締力の大きさが部位により異なる緊締部を、着用者の人体にフィットする部位に含んで構成され、緊締部は着用状態で臀裂の上部近傍から左右の臀部上部近傍を通って左右の大転子近傍に延び、更に、緊締力を有する素材で構成され、着用状態で前中心のクロッチ上方から左右の上方に向って延びる体前面緊締部を有することを特徴とする。
【００１７】
本発明によれば、着用者の人体に緊締力を付与する緊締部は、この衣類自体の構成要素を成すように、着用者の人体にフィットする部位に設けられているので、取扱が容易であって着用感を損なわない。そして、着用状態で臀裂の上部近傍から左右の臀部上部近傍を通って左右の大転子近傍に延びる緊締部は、梨状筋をその長手方向でサポートして仙骨のやや下部を後ろから押すような作用を果たす。すなわち、臀裂の上部近傍から左右の臀部上部近傍を通って左右の大転子近傍に至る部位に強い緊締力が働くので、臀部に力がかかるようになって脇部のテンションが弱くなり、したがってお尻に力を入れさせてお尻の穴を閉じさせるような働きをする。また、前中心のクロッチ上方から左右の上方に向って延びる体前面緊締部を更に有するので、外腹斜筋に対しても作用を与えて姿勢を更に良くし得る。すなわち、臀裂上部近傍で発生する下方向に向う力と、体前面緊締部で発生する上方向に向う力で、前傾している骨盤を起こすような回転する力が発生するということになり、その意味では、体前面部のクロッチ部分とウエスト部分のパワー差については、ウエスト部に向って徐々に緊締力が強くなると、上方向に押す力が強くなるので好ましい。
【００１８】
ここで、大転子近傍の緊締力について言えば、まず、大転子に緊締力をかけることにより、脇方向（外側）から内側に向う力が発生する。それにより、骨盤の位置が正しい位置に収まる。言い換えれば、大転子の緊締力は、骨盤を定位置で安定させる働きがあると言える。また、大転子近傍に緊締力を発生させると、前述のように骨が定位置に収まるので、そこを支点として臀裂上部近傍に向い凸型になっている緊締部における「骨盤を押す力」がより効果的に働くことになる。このようにして、骨盤が定位置に収まったために、骨盤はスムースな回転ができるようになる、と言える。
【００１９】
本発明に係る股付き矯正衣類は、緊締力の大きさが部位により異なる左右一対の緊締部を、着用者の人体にフィットする部位に含んで構成され、左右一対の緊締部は着用状態でそれぞれ左右の大転子近傍から臀裂の上部近傍に向かうように左右の臀部上部近傍に延び、更に、緊締力を有する素材で構成され、着用状態で前中心のクロッチ上方から左右の上方に向って延びる体前面緊締部を有することを特徴とする。
【００２０】
本発明によれば、着用者の人体に緊締力を付与する左右一対の緊締部は、この衣類自体の構成要素を成すように、着用者の人体にフィットする左右の部位に設けられているので、衣類としての取扱が容易であって着用感を損なわない。そして、着用状態で臀裂の上部近傍から左右の臀部上部近傍を通って左右の大転子近傍に延びる左右一対の緊締部は、梨状筋をサポートして仙骨のやや下部を後ろから押すような作用を果たす。すなわち、臀裂の上部近傍から左右の臀部上部近傍を通って左右の大転子近傍に至る部位に強い緊締力が働くので、臀部に力がかかるようになって脇部のテンションが弱くなり、したがってお尻に力を入れさせてお尻の穴を閉じさせるような働きをする。また、前中心のクロッチ上方から左右の上方に向って延びる体前面緊締部を更に有するので、外腹斜筋に対しても作用を与えて姿勢を更に良くし得る。すなわち、臀裂上部近傍で発生する下方向に向う力と、体前面緊締部で発生する上方向に向う力で、前傾している骨盤を起こすような回転する力が発生するということになり、その意味では、体前面部のクロッチ部分とウエスト部分のパワー差については、ウエスト部に向って徐々に緊締力が強くなると、上方向に押す力が強くなるので好ましい。
【００２１】
本発明に係る股付き矯正衣類において、着用状態で臀裂の上部近傍から左右の臀部上部近傍を通って左右の大転子近傍に延びる緊締部は、臀裂上部近傍の緊締力が最も強いことが望ましく、このようにすれば、臀裂上部近傍に強い緊締力がかかるとともに、左右の臀部上部近傍を通って左右の大転子近傍に至る方向に向かって緊締力が働くので、梨状筋に作用を与えて姿勢を更に良くし得る。
【００２２】
本発明に係る股付き矯正衣類において、着用状態で臀裂の上部近傍から左右の臀部上部近傍を通って左右の大転子近傍に延びる緊締部は、臀裂上部近傍の緊締力が最も強く、左右の臀部上部近傍を通って左右の大転子近傍に至る方向に、徐々に弱くなっていくことが望ましく、このようにすれば、臀裂上部近傍に最も強い緊締力がかかり、更に左右の臀部上部近傍を通って左右の大転子近傍に至る方向に向かって緊締力が働くので、梨状筋に作用を与えて姿勢を更に良くし得る。
【００２３】
本発明に係る股付き矯正衣類において、着用者の太腿にフィットする太腿部を更に有し、緊締部は大転子近傍から更に太腿部の外側に沿って延びていることが望ましく、また、緊締部は更に足首に至っていることが望ましい。このようにすれば、大転子および骨盤廻りの筋肉に作用を与えて、全身の姿勢を改善する機能が高まる。
【００２４】
本発明に係る股付き矯正衣類において、緊締部は着用状態で臀部上部近傍において上部に向かって凸型に湾曲する形状をなしていることが望ましく、このようにすれば、着用感を更に向上させ得る。
【００２５】
本発明に係る股付き矯正衣類において、緊締部は、着用状態で上側に位置する上側緊締部と下側に位置する強い緊締力の下側緊締部を含んでいることが望ましく、このようにすれば、上側および下側緊締部が協働して梨状筋に好適に作用を与え、前傾姿勢の着用者の姿勢を良くする機能を高め得る。
【００２６】
本発明に係る股付き矯正衣類において、緊締部は帯形状に構成されていることが望ましく、また、緊締部は編み立て一枚布のパワー切り替えにより形成されていることが望ましく、本発明の股付き矯正衣類としては、例えばガードル、スパッツ、水着、タイツ、パンティストッキング、スポーツ用タイツ、レオタード、ボディスーツ、男性用のパンツ、ガードル、スパッツ、水着、スポーツ用タイツ等がある。
【００２７】
【発明の実施の形態】
以下、本発明の実施形態を図面に基づき説明する。なお、同一要素には同一符号を付し、重複する説明を省略する。
【００２８】
図３は、実施形態に係る股付き矯正衣類（ショートタイプのガードル）を示し、同図（ａ）は着用状態を背面から見た図、同図（ｂ）は側面から見た図である。このガードルは、着用者の下腹部前面にフィットするフロントウエスト布部１１と、臀部にフィットするヒップ布部１２と、股部にフィットするクロッチ布部（図示せず）と、同様に着用者の人体（腰部）にフィットする緊締布部２１とを相互に縫製して構成される。着用者の腰部に緊締力を付与する緊締布部２１は、この衣類（ガードル）自体の構成要素を成すように、腰部に好適にフィットする部位に設けられているので、取扱が容易であって着用感を損なわない。また、フロントウエスト布部１１の上部からやや下部寄りに逆三角形状の体前面緊締布部２４を有し、これも緊締力を有する素材で構成され、着用者の外腹斜筋をサポートしている。
【００２９】
緊締布部２１は、着用状態で臀裂の上部から左右の臀部上部を通って左右の大転子近傍に延び、概ね同一の幅を有する帯状をなしている。そして、緊締布部２１は緊締力の大きさが部位により異なる布地で構成され、臀裂の上部近傍に最も強い緊締力が働き、左右の臀部上部近傍から左右の大転子近傍に延びる緊締部は、徐々に弱くなっている。そして、着用状態で緊締布部２１は上方に凸の形状に湾曲し、その最上部は図３（ａ）に示すように、臀裂の上部（仙骨の下部位置）にフィットしている。
【００３０】
本実施形態に係るショート・ガードルによれば、着用状態で臀裂の上部から左右の臀部上部を通って左右の大転子近傍に延びる緊締布部２１は、梨状筋をサポートして仙骨のやや下部を後ろから押すような作用を果たす。すなわち、臀裂の上部近傍に最も強い緊締力が働き、左右の臀部上部近傍から左右の大転子近傍に延びる緊締部は徐々に弱くなっているので、臀部に力がかかるようになって脇部のテンションが弱くなり、したがってお尻に力を入れさせてお尻の穴を閉じさせるような働きをする。臀部におけるガードルの布地は臀裂上部の緊締力が強く、お尻を突き出させるような力と着用者の脚を内股にさせるような力が発生する。つまり、図４に矢印で示すように、骨盤を後傾させる力が作用するので、前傾気味の着用者の姿勢を良くする効果が奏される。
【００３１】
図５は、この作用を模式的に説明している。梨状筋サポートで仙骨（やや下部）を後から押す力（図中の矢印▲１▼）が働き、外腹斜筋サポートで腰椎の前湾を小さくする力（図中の矢印▲２▼）が働き、結果として腰部を前から後に回転させる力（図中の矢印▲３▼）が生じる。これにより、前傾姿勢気味の着用者の全身の姿勢が良くなる。
【００３２】
なお、緊締部の具体的構成としては、第１に緊締部を構成する素材を「衣類本体の布地の上に貼り付け」て構成する、第２に緊締部を構成する素材を「衣類本体の布地と縫着する」ことによって構成する、第３に布地本体の「編み立て（丸編み／経編み）一枚布でパワー切り替え」により構成する、の三通りがある。一例として、経編みについて言えば、ジャカード柄を帯状にカーブさせてパワーの強いところを設けたシングルラッセルジャカードか、トリコットジャカードか、ダブルラッセルジャカード生地で作り得る。また、緊締部は仙骨下部近傍の緊締力を最も強くして、延在する方向に沿って徐々に力が弱くなるようにすることができる。
【００３３】
図６は、別の実施形態に係るショートタイプのガードルの着用状態を背面から見た図である。このガードルは、フロントウエスト布部１１（図示せず）、ヒップ布部１２およびクロッチ布部（図示せず）を有し、更に図３の実施形態と同様の緊締布部２１を有して構成される。
【００３４】
図７は、図６の実施形態に係るガードルの前側の構造を示し、同図（ａ）〜（ｅ）はそれぞれ別の変形例の着用状態を斜め前側面から見た図である。図７（ａ）のガードルでは、フロントウエスト布部１１に体前面緊締布部２３を有し、これが外腹斜筋をサポートしている。この体前面緊締布部２３は緊締力を有する素材で構成され、着用状態で前中心（クロッチ上方）から左右の上方に向って延びる略Ｖ字形状をなしている。同図（ｂ）のガードルは、フロントウエスト布部１１の上部に逆三角形状の体前面緊締布部２４を有している。この体前面緊締布部２４も緊締力を有する素材で構成され、着用者の外腹斜筋をサポートしている。さらに、同図（ｃ）のガードルは、フロントウエスト布部１１の上部からやや下部寄りに菱形形状の体前面緊締布部２４を有し、同図（ｄ）のガードルは、フロントウエスト布部１１の上部からやや下部寄りに卵型形状の体前面緊締布部２４を有し、同図（ｅ）のガードルは、フロントウエスト布部１１の上部からやや下部寄りに刀剣形状の体前面緊締布部２４を有している。これらの体前面緊締布部２４も緊締力を有する素材で構成され、着用者の外腹斜筋をサポートしている。
【００３５】
図８は、本発明を適用したショートガードルの姿勢を良くする効果を示しており、点線はヌード状態のモニターの姿勢、実線は着用状態のモニターの姿勢を示す。図示の通り、前傾気味の姿勢が大きく改善されているのが理解できる。また、このようなショートガードルを着用したときには、姿勢を矯正するだけでなく、下半身の動きがスムーズとなったり、ストライドが伸びる等の効果がある。
【００３６】
本発明の実施形態のように、左右の太腿の付け根から左右のヒップの上部を通り、臀裂上部で結合するライン（緊締布部２１のライン）で梨状筋をサポートすることが姿勢を良くする上で必須であり、次いで、腹部前面を前中心から脇側へ斜め上方へ広がるライン（体前面緊締布部２３、２４のライン）で主として外腹斜筋をサポートすることにより、姿勢をよくすることができる。
【００３７】
本発明は、上記の実施形態や変形例に限らず、図９〜１５に示すように種々の態様が可能である。
【００３８】
図９（ａ）、（ｂ）は、それぞれ実施形態の第１変形例に係るショートタイプのガードルを背面から見た斜視図である。いずれの場合も、緊締布部２１は臀裂上部近傍から左右の臀部上部近傍を通って左右の大転子近傍に至る方向に延びている。すなわち、同図（ａ）のガードルでは、左右一対の緊締布部２１は臀裂上部に至るまで同一幅に構成され、同図（ｂ）のガードルでは、左右一対の緊締布部２１は臀裂上部で幅広に構成されている。
【００３９】
図９（ａ）、（ｂ）のいずれの場合も、緊締布部２１の前側にはフロントウエスト布部１１、後側にはヒップ布部１２が設けられている。同図（ｂ）の緊締布部２１は臀裂の上部を巾広に覆っているが、緊締布部２１により強い緊締力がかかる部位は、臀裂上部近傍であり、左右の臀部上部近傍を通って左右の大転子近傍に至る方向に向かって緊締力が働くので、梨状筋に作用して姿勢を良くする効果が優れている。
【００４０】
図１０（ａ）、（ｂ）は、それぞれ実施形態の第２変形例に係るショートタイプのガードルを後面から見た斜視図である。この場合も、腰部の後中心には逆三角形状の後中心布部３１が縫着されている。また、緊締布部２１は臀裂上部近傍から左右の臀部上部近傍を通って左右の大転子近傍に至る方向に延びている。すなわち、同図（ａ）のガードルでは、左右一対の緊締布部２１は臀裂上部に向かって延び、左右一対の緊締布部２１は臀裂上部に至るまで同一幅に構成され、同図（ｂ）のガードルでは、左右一対の緊締布部２１は臀裂上部で幅広に構成されている。
【００４１】
図１０（ａ）、（ｂ）のいずれの場合も、緊締布部２１の前側にはフロントウエスト布部１１、後側にはヒップ布部１２が設けられている。緊締布部２１は臀裂の上部を巾広に覆っているが、緊締布部２１により強い緊締力がかかる部位は梨状筋の下側に概ね沿っているので、特に同図（ｂ）のガードルでは梨状筋に作用して姿勢を良くする効果が優れている。
【００４２】
図１１（ａ）〜（ｃ）は、それぞれ実施形態の第３変形例に係るショートタイプのガードルを前面から見た斜視図である。いずれの場合も、着用者の臀部を覆う緊締布部２１が上側部分２１Ａと強い緊締力の下側部分２１Ｂとで構成されている。また、緊締布部２１の前側にはフロントウエスト布部１１があり、後側にはヒップ布部１２がある。
【００４３】
同図（ａ）〜（ｃ）が相互に異なる点は、緊締布部２１の下側部分２１Ｂの形状である。同図（ａ）では、緊締布部２１の下側部分２１Ｂは臀裂上部近傍の比較的狭い部分を被覆し、同図（ｂ）では、緊締布部２１の下側部分２１Ｂは臀裂上部から臀裂部に至る比較的広い部分を被覆し、同図（ｃ）では、緊締布部２１の下側部分２１Ｂは臀裂上部から大転子の後側に至る比較的広い部分を上側部分２１Ａに沿うように被覆している点である。
【００４４】
この第３変形例の場合も、緊締布部２１において、臀裂上部近傍の緊締力が最も強く、左右の臀部上部近傍を通って左右の大転子近傍に至る方向に緊締力が働くので、梨状筋に作用して姿勢を良くする効果がある。特に、同図（ｃ）の場合は効果が大きい。また、緊締布部２１が上側部分２１Ａと下側部分２１Ｂとで構成されるので、これらが有する緊締力を異ならせることが可能になる。
【００４５】
図１２は、実施形態の第４変形例に係るショートタイプのガードルを背面から見た斜視図である。フロントウエスト布部とヒップ布部は特に区分されることなく、一体となってガードル本体１０を構成し、その臀裂上部には着用状態で左右に延びる長方形状の緊締布部２１が設けられている。この第１０変形例の場合も、緊締布部２１の緊締力の大きい部位は、臀裂上部近傍である。
【００４６】
図１３は、実施形態の第５変形例に係るショートタイプのガードルを背面から見た斜視図である。緊締布部２１の前側にはフロントウエスト布部１１、後側にはヒップ布部１２が位置し、緊締布部２１は臀裂上部から大転子近傍に向かって延びている。緊締布部２１を複数の菱形形状の当て布を並べて配置して構成している。
【００４７】
図１４（ａ）〜（ｄ）は、それぞれ実施形態の第７変形例に係るロングタイプのガードルの側面図である。同図（ａ）〜（ｄ）のいずれでも、ガードル布部１０は着用者の腰部から臀部を経て太腿部を覆うようになっている。着用者の腰部から臀部に緊締力を付与する緊締布部２１は、臀裂上部から大転子近傍に延び、同図（ｃ）、（ｄ）の例では大転子近傍から更に下方に向かって膝部近傍に達している。なお、同図（ａ）と（ｂ）、同図（ｃ）と（ｄ）では、同図（ｂ）および（ｄ）のガードルが臀裂近傍に逆三角形状の当て布１６を有している点で異なる。
【００４８】
本発明は上記実施形態に限定されることなく、種々の変形が可能である。例えば、ガードル、スパッツ、水着、タイツ、パンティストッキング、スポーツ用タイツ、レオタード、ボディスーツ、男性用のパンツ、ガードル、スパッツ、水着、スポーツ用タイツ等に適用しても良い。
【００４９】
【発明の効果】
本発明に係る股付き矯正衣類によれば、着用者の人体に緊締力を付与する緊締部は、この衣類自体の構成要素を成して人体にフィットし、梨状筋をサポートして仙骨のやや下部を後ろから押すような作用を果たす。このように、梨状筋や外腹斜筋等の骨盤廻りの筋肉に働きかけて前傾気味の着用者の姿勢を良くすることができ、しかも取扱が簡便で違和感なく着用することができる。
【図面の簡単な説明】
【図１】人体の梨状筋および外腹斜筋の位置を説明する図である。
【図２】人体の腸棘、仙骨および大転子の位置を説明する図である。
【図３】実施形態のガードルと、人体の腸棘、仙骨および大転子との位置関係を説明する図である。
【図４】実施形態の機能を人体の腰部の骨格から説明する図である。
【図５】実施形態の機能を模式的に説明する図である。
【図６】実施形態に係るショートガードルの背面側の構成を示す図である。
【図７】実施形態に係るショートガードルの前面側の構成を示す図である。
【図８】実施形態に係るショートガードルの姿勢矯正効果を説明する図である。
【図９】実施形態の第１変形例を示すショートガードルの背面斜視図である。
【図１０】実施形態の第２変形例を示すショートガードルの背面斜視図である。
【図１１】実施形態の第３変形例を示すショートガードルの背面斜視図である。
【図１２】実施形態の第４変形例を示すショートガードルの背面斜視図である。
【図１３】実施形態の第５変形例を示すショートガードルの背面斜視図である。
【図１４】実施形態の第６変形例を示すロングガードルの背面斜視図である。
【符号の説明】
１０・・・ガードル本体、１１・・・フロントウエスト布部、１２・・・ヒップ布部、２１・・・緊締布部。
【図１】
2004107844.tif 000003
【図２】
2004107844.tif 000004
【図３】
2004107844.tif 000005
【図４】
2004107844.tif 000006
【図５】
2004107844.tif 000007
【図６】
2004107844.tif 000008
【図７】
2004107844.tif 000009
【図８】
2004107844.tif 000010
【図９】
2004107844.tif 000011
【図１０】
2004107844.tif 000012
【図１１】
2004107844.tif 000013
【図１２】
2004107844.tif 000014
【図１３】
2004107844.tif 000015
【図１４】
2004107844.tif 000016